(57)【要約】【課題】一区画の昇降路内を複数のかごが昇降する機械室レスエレベータ装置に利用されるものであって、簡単な構成を有し、エレベータ装置の据付作業が簡単に且つ短時間で実施することができるエレベータの仮設作業床装置を得る。【解決手段】所定のエレベータ乗場に支持され、乗場に形成された第１乗場開口部を通って昇降路内に突設された第１作業床装置と、乗場に隣接する他の乗場に支持され、他の乗場に形成された第２乗場開口部を通って昇降路内に突設された第２作業床装置と、第１作業床装置及び前記第２作業床装置に支持された第３作業床装置とを備えることにより、第３作業床装置の床面を、第１作業床装置の床面及び第２作業床装置の床面間に渡って形成する。【選択図】図２
2007176632.tif 000002
【特許請求の範囲】
【請求項１】
複数のかごが昇降する一区画のエレベータ昇降路の上部に設けられたエレベータの仮設作業床装置において、
所定のエレベータ乗場に支持され、前記乗場に形成された第１乗場開口部を通って前記昇降路内に突設された第１作業床装置と、
前記乗場に隣接する他の乗場に支持され、前記他の乗場に形成された第２乗場開口部を通って前記昇降路内に突設された第２作業床装置と、
前記第１作業床装置及び前記第２作業床装置に支持され、前記第１作業床装置の床面及び前記第２作業床装置の床面間に渡って床面が形成された第３作業床装置と、
を備えたことを特徴とするエレベータの仮設作業床装置。
【請求項２】
第３作業床装置は、
第１作業床装置及び第２作業床装置間に掛け渡された複数の支持梁と、
前記支持梁に着脱自在に設けられ、前記支持梁と直交して配置された複数の受梁と、
前記受梁に着脱自在に設けられて床面を形成する複数の床板と、
を備えたことを特徴とする請求項１に記載のエレベータの仮設作業床装置。
【請求項３】
第１乗場開口部及び第２乗場開口部は、共に前側の昇降路壁に形成され、第３作業床装置の床面は、前記前側の昇降路壁と前記前側の昇降路壁に対向する奥側の昇降路壁とに渡って形成されたことを特徴とする請求項１又は請求項２に記載のエレベータの仮設作業床装置。
【請求項４】
第１作業床装置の床面と第２作業床装置の床面と第３作業床装置の床面とは、鉛直投影面上一続きに形成され、鉛直投影面上一続きに形成された前記第１乃至第３作業床装置の床面の周縁部に沿って手摺装置が設けられたことを特徴とする請求項１又は請求項２に記載のエレベータの仮設作業床装置。
【請求項５】
複数のかごが昇降する一区画のエレベータ昇降路の上部にエレベータの仮設作業床装置を組み立てるエレベータの仮設作業床装置の組立方法において、
所定のエレベータ乗場に支持されるように、前記乗場に形成された第１乗場開口部を通って前記昇降路内に突出する第１作業床装置を組み立てるステップと、
前記乗場に隣接する他の乗場に支持されるように、前記他の乗場に形成された第２乗場開口部を通って前記昇降路内に突出する第２作業床装置を組み立てるステップと、
前記第１作業床装置及び前記第２作業床装置に支持されるように、前記第１作業床装置の床面及び前記第２作業床装置の床面間に渡って床面が形成される第３作業床装置を組み立てるステップと、
を備えたことを特徴とするエレベータの仮設作業床装置の組立方法。
【発明の詳細な説明】
【技術分野】
【０００１】
この発明は、エレベータの据付時に昇降路上部に仮設される作業床装置及びこの仮設作業床装置の組立方法に関するものである。
【背景技術】
【０００２】
エレベータの昇降路上方に機械室が設置されていない機械室レスエレベータ装置では、エレベータの据付作業者が行う作業は、各種機器類を揚重する揚重装置の設置や、エレベータ吊り部の設置、ガイドレールの頂部固定等、昇降路の頂部付近で実施されることが多い。そこで、従来では、エレベータ機器類等を昇降路に据え付ける際、昇降路のピット底面から頂部付近まで井桁状に組み上げた鋼管に足場板を配置することによって仮設作業床を形成し、据付作業者は、この仮設作業床上から昇降路頂部付近で必要な作業を実施していた。
【０００３】
しかし、上記仮設作業床装置では、使用される鋼管や足場板が多く、その組立や解体、搬送に多大な時間と労力とを要し、作業効率が著しく低下するといった問題が生じていた。
【０００４】
このため、油圧ジャッキによってかごを昇降させる油圧式エレベータ装置に関する従来技術として、エレベータ装置の据付時に、先ず、最上階の乗場から昇降路内に張り出して設置された張出足場と、この張出足場の上方に設けられた上部足場と、昇降路底部に設けられた下部足場とを設置することにより、かご用ガイドレール、かごからなる作業床、油圧ジャッキ等を各足場から順次据え付けるものが提案されている（例えば、特許文献１参照）。
【０００５】
【特許文献１】特開昭５８−１８３５７９号公報
【発明の開示】
【発明が解決しようとする課題】
【０００６】
機械室レスエレベータ装置には、一区画の昇降路内を複数のかごが昇降し、昇降路内に配置された複数のかごの昇降範囲が互いに隣接するものがある。かかる構成のエレベータ装置では、通常、昇降路の間口方向及び奥行方向の一方に長手を有するため、その据付時に、昇降路頂部における上記長手の中間位置に、かごの昇降範囲を隔てるように分割梁を設置し、この分割梁と昇降路壁との間に、揚重装置を支持する揚重梁を取り付ける必要があった。しかし、特許文献１記載の仮設作業床装置を利用してエレベータ装置を据え付ける場合には、分割梁及び揚重梁の取り付けに際し、上記張出足場上からの作業では対応することができないという問題が生じていた。
【０００７】
このため、上記構成の機械室レスエレベータ装置における据付に際しては、昇降路のピット底面から頂部付近まで井桁状に組み上げた鋼管に足場板を配置することによって仮設作業床を形成するという従来通りの方法が採用されていた。
【０００８】
この発明は、上述のような課題を解決するためになされたもので、その目的は、一区画の昇降路内を複数のかごが昇降する機械室レスエレベータ装置に利用されるものであって、簡単な構成を有し、エレベータ装置の据付作業が簡単に且つ短時間で実施することができるエレベータの仮設作業床装置、並びに、その仮設作業床装置の組立方法を提供することである。
【課題を解決するための手段】
【０００９】
この発明に係るエレベータの仮設作業床装置は、複数のかごが昇降する一区画のエレベータ昇降路の上部に設けられたエレベータの仮設作業床装置において、所定のエレベータ乗場に支持され、乗場に形成された第１乗場開口部を通って昇降路内に突設された第１作業床装置と、乗場に隣接する他の乗場に支持され、他の乗場に形成された第２乗場開口部を通って昇降路内に突設された第２作業床装置と、第１作業床装置及び前記第２作業床装置に支持され、第１作業床装置の床面及び第２作業床装置の床面間に渡って床面が形成された第３作業床装置とを備えたものである。
【００１０】
また、この発明に係るエレベータの仮設作業床装置の組立方法は、複数のかごが昇降する一区画のエレベータ昇降路の上部にエレベータの仮設作業床装置を組み立てるエレベータの仮設作業床装置の組立方法において、所定のエレベータ乗場に支持されるように、乗場に形成された第１乗場開口部を通って昇降路内に突出する第１作業床装置を組み立てるステップと、乗場に隣接する他の乗場に支持されるように、他の乗場に形成された第２乗場開口部を通って昇降路内に突出する第２作業床装置を組み立てるステップと、第１作業床装置及び第２作業床装置に支持されるように、第１作業床装置の床面及び第２作業床装置の床面間に渡って床面が形成される第３作業床装置を組み立てるステップとを備えたものである。
【発明の効果】
【００１１】
この発明は、複数のかごが昇降する一区画のエレベータ昇降路の上部に設けられたエレベータの仮設作業床装置において、所定のエレベータ乗場に支持され、乗場に形成された第１乗場開口部を通って昇降路内に突設された第１作業床装置と、乗場に隣接する他の乗場に支持され、他の乗場に形成された第２乗場開口部を通って昇降路内に突設された第２作業床装置と、第１作業床装置及び前記第２作業床装置に支持され、第１作業床装置の床面及び第２作業床装置の床面間に渡って床面が形成された第３作業床装置とを備える構成としたことで、簡単な構成を有するとともに、エレベータ装置の据付作業が簡単に且つ短時間で実施することができる。
【発明を実施するための最良の形態】
【００１２】
この発明をより詳細に説明するため、添付の図面に従ってこれを説明する。なお、各図中、同一又は相当する部分には同一の符号を付しており、その重複説明は適宜に簡略化ないし省略する。
【００１３】
実施の形態１．
図１はこの発明の実施の形態１におけるエレベータの仮設作業床装置の側面図、図２はその平面図である。なお、図１及び図２は、昇降路の上方に機械室が設置されていない機械室レスエレベータ装置の据付状態を示したものであり、図示されていないが、エレベータ装置の据付完了後、エレベータ巻上機や制御盤等の主要機器類は、昇降路の頂部やピット部等に配置される。
【００１４】
図１及び図２において、四方が昇降路壁１ａ乃至１ｄで囲まれた一区画からなる昇降路１は、間口方向に長手を有し、鉛直投影面上、長方形状を呈している。即ち、エレベータ装置の据付完了後、上記昇降路１内を複数のかご（図示せず）が昇降し、昇降路１内に配置された複数のかごの昇降範囲が互いに隣接するように構成される。なお、実施の形態１では、一区画の昇降路１内を２台のかごが昇降する場合について説明する。
【００１５】
上記構成を有するエレベータ装置では、昇降路１の間口方向に長手を有するため、その据付時、昇降路１の頂部における上記長手の中間位置に、前側の昇降路壁１ａの頂部と昇降路１ａに対向する奥側の昇降路壁１ｂの頂部とに渡って分割梁２が設置され、さらに、分割梁２と両側の昇降路壁１ｃ及び１ｄとに渡って、揚重装置等を支持する揚重梁３が設置される。なお、実施の形態１のように２台のかごが昇降路１内を昇降する場合には、上記分割梁２は、鉛直投影面上かごの昇降範囲を隔てるように長手の中間位置に配置される。ここで、４は昇降路１の上部のうち、最上階床の高さ付近に設けられ、上記分割梁２や揚重梁３を昇降路１の頂部に取り付ける際に、据付作業者が乗って作業を行う仮設作業床装置を示したものである。
【００１６】
上記仮設作業床装置４には、最上階のエレベータ乗場５に支持され、この乗場５に形成された乗場開口部６（第１乗場開口部）を通って昇降路１内に突設された第１作業床装置と、乗場５に隣接する他の乗場７に支持され、この乗場７に形成された乗場開口部８（第２乗場開口部）を通って昇降路１内に突設された第２作業床装置と、第１作業床装置及び第２作業床装置に支持され、第１作業床装置及び第２作業床装置間に渡って設けられた第３作業床装置とが備えられている。なお、乗場開口部６及び８は、共に前側の昇降路壁１ａに所定の間隔を有して設けられており、その下縁部は乗場５及び７の床によって、また、両側縁部及び上縁部は、図示しない乗場三方枠によって形成されている。また、上記第３作業床装置の床面は、第１作業床装置の床面及び第２作業床装置の床面間に渡って形成されており、第１乃至第３作業床装置の床面は、その全体が鉛直投影面上一続きに形成されている。
【００１７】
ここで、上記第１作業床装置は、昇降路１内において、乗場開口部６に隣接する位置で、且つ、最上階の乗場５の床面から所定距離上方となる高さに水平に配置された第１作業床９と、この第１作業床９を乗場５に支持する第１支持手段１０と、鉛直投影面上第１作業床９の周縁部に沿うように第１作業床９から立設されて所定の高さに配置された第１手摺１１とから構成される。そして、第１作業床９は、所定の間隔を有する２本の受梁１２が昇降路１の奥行方向に配置され、この受梁１２上に複数の床板１３が跨って設けられることにより構成される。なお、第１作業床装置の床面は、所定範囲に敷き詰められた上記床板１３により形成される。
【００１８】
また、第１支持手段１０は、乗場開口部６の下縁部に沿って乗場５の床面に設けられた支持台１４と、下端部が支持台１４に固定され、上端部が乗場開口部６の上縁部よりも上方に突出するように乗場５に設けられた所定の間隔を有する２本の支持柱１５と、各支持柱１５の上端部を乗場開口部６上方の乗場５側壁面に固定する固定手段１６と、一端部が各支持柱１５の下端部に、他端部が各受梁１２の乗場側端部に設けられた梯子１７と、一端部が各支持柱１５の上端部に、他端部が各受梁１２の乗場側端部に設けられた支持体１８と、一端部が支持台１４に、他端部が各受梁１２の奥側端部に設けられた支持体１９とから構成される。
【００１９】
なお、上記第２作業床装置は、昇降路１内において、乗場開口部８に隣接する位置で、且つ、最上階の乗場７の床面から所定距離上方となる高さに水平に配置された第２作業床２０と、この第２作業床２０を乗場７に支持する第２支持手段２１と、鉛直投影面上第２作業床２０の周縁部に沿うように第２作業床２０から立設されて所定の高さに配置された第２手摺２２とから構成される。ここで、上記第２作業床２０、第２支持手段２１、第２手摺２２は、上記第１作業床９、第１支持手段１０、第１手摺１１と同様の構成を有している。即ち、第１作業床９と第２作業床２０とは、昇降路１上部のほぼ同じ高さに隣接して配置されており、第１作業床９と第２作業床２０との間には、隣接する乗場５及び７間の距離に対応する所定の間隔が形成されている。なお、第２作業床装置の床面は、所定範囲に敷き詰められた床板１３ａにより形成される。
【００２０】
一方、上記第３作業床装置は、第１作業床装置の第１作業床９及び第２作業床装置の第２作業床２０間に跨るように間口方向に掛け渡された複数の角パイプ等からなる支持梁２３と、この支持梁２３上の任意の位置に着脱自在に設けられて、支持梁２３と直交するようにその長手が昇降路１の奥行方向に配置された複数の受梁２４と、この受梁２４上に着脱自在に設けられた複数の床板２５とから構成される。なお、第３作業床装置の床面は、所定範囲に敷き詰められた床板２５により形成される。ここで、上記床板２５は、第１作業床９と第２作業床２０との間に形成された間隙を塞ぐように、即ち、一端側が第１作業床９の床板１３と、他端側が第２作業床２０の床板１３ａとそれぞれ重なるように、間口方向の幅が設定されている。また、床板２５の奥行方向の幅は、前側の昇降路壁１ａと奥側の昇降路壁１ｂとの各間にそれぞれ僅かな間隙が形成されるように設定されている。即ち、第３作業床装置の床面は、据付作業員が作業中に昇降路１内へ落下することを防止するため、前側の昇降路壁１ａと奥側の昇降路壁１ｂとに渡って形成されている。
【００２１】
次に、上記構成を有するエレベータの仮設作業床装置４の組立方法について説明する。エレベータの据付作業者は、先ず、最上階の一方の乗場５に支持されるように、乗場５に形成された乗場開口部６を通って昇降路１内に突出する第１作業床装置を組み立てるとともに、第１作業床装置が支持される乗場５に隣接する他の乗場７に支持されるように、乗場７に形成された乗場開口部８を通って昇降路１内に突出する第２作業床装置を組み立てる。隣接する乗場５及び７に第１及び第２作業床装置を組み立てた後、据付作業者は、この第１及び第２作業床装置に支持されるように、第１及び第２作業床装置の各床面に渡って床面が形成される第３作業床装置を組み立てる。
【００２２】
具体的には、第１及び第２作業床装置の組立後、据付作業員は、第１及び第２作業床装置の床面に乗り、第１作業床装置の床板１３及び第２作業床装置の床板１３ａ上に渡って支持梁２３を掛け渡し、所定の位置、例えば、昇降路１の前側と奥側とに支持梁２３の両端部を固定する。次に、この支持梁２３に直交するように受梁２４を支持梁２３上に配置して、受梁２４を支持梁２３に固定する。そして、前側の昇降路壁１ａ及び奥側の昇降路壁１ｂとに渡って床板２５を受梁２４上に敷き詰めて固定する。
【００２３】
仮設作業床装置４の組立完了後、据付作業員は、梯子１７を登ることにより、乗場５及び７から第１作業床装置及び第２作業床装置の床面上に移動し、そこからさらに第３作業床装置の床面上に移動する。そして、第３作業床装置の床面上、即ち、床板２５上において、分割梁２を設置し、その後、床板１３上及び床板１３ａ上に移動しながら、分割梁２と昇降路壁１ｃ及び１ｄとの間に揚重梁３を設置する。なお、２６は、揚重梁３の設置後に、各揚重梁３の中間部に取り付けられた揚重装置を示したものである。ここで、上記分割梁２及び揚重梁３の設置に際しては、据付作業員は、先ず、昇降路壁１ａ及び１ｂから突出するアンカーボルトに略Ｌ字状を呈する支持ブラケット２７ａ及び２７ｂを取り付け、支持ブラケット２７ａ及び２７ｂの上面に渡って分割梁２を載置及び固定する。次に、両側の昇降路壁１ｃ及び１ｄから突出するアンカーボルトに略Ｌ字状を呈する支持ブラケット２７ｃ及び２７ｄを取り付け、支持ブラケット２７ｃの上面と分割梁２の上面、並びに、分割梁２の上面と支持ブラケット２７ｄの上面とに渡って揚重梁３を載置し、それぞれの両端部を固定する。
【００２４】
この発明の実施の形態１によれば、仮設作業床装置４は、昇降路１の頂部付近において、隣接する乗場５及び７間に渡って床面を形成することができるため、一区画の昇降路１内を複数のかごが昇降する機械室レスエレベータ装置の据付に際しても、分割梁２や揚重梁３等の設置が容易となり、その据付作業を簡単に且つ短時間で実施することが可能となる。また、仮設作業床装置４を乗場５及び７に支持させることができるため、従来のように昇降路１のピット底面から鋼管等を組み立てる必要もなく、仮設作業床装置４の組立に要する時間や労力を大幅に低減させることも可能である。
【００２５】
また、第３作業床装置を支持梁２３、受梁２４及び床板２５といった簡単な部材で構成することにより、その組立及び解体を容易にすることができ、分割梁２及び揚重梁３の設置時における作業効率を向上させることができる。なお、第３作業床装置の床面が昇降路壁１ａ及び１ｂ間に渡って形成されているため、据付作業員が分割梁２及び揚重梁３の設置時に昇降路１内に落下するような事故も未然に防止することができる。
【００２６】
実施の形態２．
図３はこの発明の実施の形態２におけるエレベータの仮設作業床装置の側面図、図４はその平面図である。図３及び図４において、第３作業床装置の床板２５は、昇降路１の奥行方向の幅が、第１作業床装置の床板１３及び第２作業床装置の床板１３ａの幅とほぼ同じになるように、その設置枚数等が調整されている。即ち、第１乃至第３作業床装置の床面は、その全体が鉛直投影面上略長方形状を呈するように、一続きに形成されている。また、２８は第３作業床装置の床面の前縁部及び後縁部に沿うように立設されて所定の高さに配置された第３手摺である。この第３手摺２８は、第１作業床装置の第１手摺１１及び第２作業床装置の第２手摺２２にその両端部が連結されており、第１乃至第３手摺１１及び２２及び２８からなる仮設作業床装置４の手摺装置は、鉛直投影面上一続きに形成された第１乃至第３作業床装置の床面の周縁部に沿って設けられている。
【００２７】
この発明の実施の形態２によれば、第１乃至第３作業床装置の床面全体を取り囲むように手摺装置が設置されているため、実施の形態１のように床板２５を昇降路壁１ａ及び１ｂに近接するまで敷き詰めなくても、据付作業者の昇降路１内への落下を確実に防止することができる。このため、床板２５の設置枚数を削減することができ、仮設作業床装置４の組立に要する時間と労力とをさらに低減することが可能となる。なお、上記構成は、床板２５の設置枚数が大幅に増加するような、乗場５及び７間の距離が長い場合に特に有効な手段となる。
【図面の簡単な説明】
【００２８】
【図１】この発明の実施の形態１におけるエレベータの仮設作業床装置の側面図である。
【図２】この発明の実施の形態１におけるエレベータの仮設作業床装置の平面図である。
【図３】この発明の実施の形態２におけるエレベータの仮設作業床装置の側面図である。
【図４】この発明の実施の形態２におけるエレベータの仮設作業床装置の平面図である。
【符号の説明】
【００２９】
１  昇降路
１ａ、１ｂ、１ｃ、１ｄ  昇降路壁
２  分割梁
３  揚重梁
４  仮設作業床装置
５、７  乗場
６、８  乗場開口部
９  第１作業床
１０  第１支持手段
１１  第１手摺
１２、２４  受梁
１３、１３ａ、２５  床板
１４  支持台
１５  支持柱
１６  固定手段
１７  梯子
１８、１９  支持体
２０  第２作業床
２１  第２支持手段
２２  第２手摺
２３  支持梁
２６  揚重装置
２７ａ、２７ｂ、２７ｃ、２７ｄ  支持ブラケット
２８  第３手摺
【図１】
2007176632.tif 000003
【図２】
2007176632.tif 000004
【図３】
2007176632.tif 000005
【図４】
2007176632.tif 000006